【事件の表示】
　特許第３０３８１５７号「芝生上での使用のための運動靴牽引システム」の請求項１ないし８２に係る特許に対する特許異議の申立てについて、次のとおり決定する。
【結　論】
　訂正を認める。
　特許第３０３８１５７号の請求項１ないし７７に係る特許を取り消す。
【理　由】
１．手続の経緯
　本件特許第３０３８１５７号の発明の出願は、１９９６年１０月１４日（パリ条約による優先権主張１９９５年１０月１２日、米国、及び１９９５年１２月２２日、米国）を国際出願日とする出願であって、平成１２年２月２５日に設定登録がなされ、その後、中尾浩史、マクネイル・エンジニアリング・カンパニー・インク、菊池公明より特許異議の申立てがなされ、取消しの理由が通知され、その指定期間内である平成１３年６月１５日に訂正請求がなされたものである。
２．訂正の適否
（１）訂正の内容
　訂正事項１
　特許請求の範囲の請求項１を、下記のとおりに訂正する。
「【請求項１】　芝生表面での牽引を提供するための運動靴であって、
該運動靴は、裏、踵、ならびに（ａ）該裏の有意の領域および（ｂ）該踵の有意の領域の少なくとも１つから伸びている複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている運動靴であって、該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、前記複数の隆起物が、パッド厚さを有する少なくとも１つのパッドの表面に装着され、該パッドおよび前記複数の隆起物が、弾性ポリマー材料から一体に作られており、（ａ）前記裏の有意の領域および（ｂ）前記踵の有意の領域の前記少なくとも１つが凹所であり、前記少なくとも１つのパッドが、該少なくとも１つの凹所領域に剥離可能な留め具を用いて、装着されている、運動靴。」
　訂正事項２
　特許請求の範囲の請求項１８を、下記のとおりに訂正する。
「【請求項１８】　芝生表面での牽引を提供するための運動靴であって、
該運動靴は、その実質的な領域に第１の凹所を有する裏、その実質的な領域に第２の凹所を有する踵、第１のパッド表面および該第１のパッド表面から伸びている複数の隆起物を有する第１のパッド、および、第２のパッド表面および該第２のパッド表面から伸びている複数の隆起物を有する第２のパッドを有し、該第１のパッドが該第１の凹所に装着され、該第２のパッドが該第２の凹所に装着され、該隆起物のそれぞれは、該芝生の草の葉に係合するのに十分な高さを有し、実質的に、該芝生に穴をあけることなく牽引を提供し、かつ、該隆起物は、該隆起物の間の間隔が該芝生の破片で詰まるのを防ぐのに十分な分離距離の間隔をあけて配置されている運動靴であって、該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、前記パッドおよび前記複数の隆起物が、弾性ポリマー材料から一体に作られており、前記パッドが、該凹所領域に剥離可能な留め具を用いて、装着されている、運動靴。」
　訂正事項３
　特許請求の範囲の請求項３４を、下記のとおりに訂正する。
「【請求項３４】　芝生表面での牽引を提供するための運動靴と共に使用される牽引挿入具であって、該運動靴は裏および踵を有し、その実質的な領域に凹所を有する該裏と該踵のうちの少なくとも１つにおいて、該牽引挿入具は、パッド表面および該パッド表面から伸びている複数の隆起物を有するパッドと、該パッドを該凹所に装着するためのパッド取付手段とを有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている牽引挿入具であって、該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、パッドおよび前記複数の隆起物が、弾性ポリマー材料から一体に作られており、前記パッドが、該少なくとも１つの凹所領域に剥離可能なパッド取付手段を用いて、装着されている、牽引挿入具。」
　訂正事項４
　特許請求の範囲の請求項５１を、下記のとおりに訂正する。
「【請求項５１】　芝生表面での牽引を提供するための運動靴であって、該運動靴は、（Ａ）着脱可能なすべり止めの取付けのための複数の裏取付手段を有する裏、および（Ｂ）複数の着脱可能なすべり止めを有し、該着脱可能なすべり止めのそれぞれは、（ａ）上面および対向する下面を有するフランジ、（ｂ）該すべり止めを該靴の該裏の該裏取付手段の１つに着脱可能に取り付けるための、該フランジの該上面からから伸びているフランジ取付手段、および（ｃ）該フランジの該対向する下面に複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている運動靴であって、該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、前記複数の隆起物が、弾性ポリマー材料から作られている、運動靴。」
　訂正事項５
　特許請求の範囲の請求項６７を、下記のとおりに訂正する。
「【請求項６７】　芝生表面での牽引を提供するための運動靴と共に使用する着脱可能なすべり止めであって、該運動靴は、裏を有し、該裏は、着脱可能なすべり止めの取付けのための複数の裏取付手段を有し、該着脱可能なすべり止めは、（ａ）上面および対向する下面を有するフランジ、（ｂ）該すべり止めを該靴の該裏の該裏取付手段の１つに着脱可能に取り付けるための、該フランジの該上面から伸びているフランジ取付手段、および（ｃ）該フランジの該対向する下面に複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破
片で詰まるのを防ぐのに十分な分離距離の間隔をあけて配置されている、着脱可能なすべり止めであって、該隆起物は、０．０ ６２５インチと０．１２５インチ（１．５８７５ｍｍと３．１７５ｍｍ）との間の高さを有し、該隆起物の密度は１平方センチメートル当たり、約０．４７〜３．８８個であり、該複数の隆起物が、弾性ポリマー材料から一体に作られている、すべり止め。」
　訂正事項６
　特許請求の範囲の請求項７、２４、４０、５７および７３を、削除する。
この訂正に伴って、以下項数を繰り上げ「１〜７７」と訂正する。
（クレーム対応表参照）
特許時のクレーム　　　　訂正後のクレーム
クレーム８〜２３　　　クレーム７〜２２
クレーム２５〜３９　　クレーム２３〜３７
クレーム４１〜５６　　クレーム３８〜５３
クレーム５８〜７２　　クレーム５４〜６８
クレーム７４〜８２　　クレーム６９〜７７
（２）訂正の目的の適否、新規事項の有無、及び特許請求の範囲の拡張・変　　更の存否
　上記訂正事項１、２、３、５は、「１平方センチメートル当たり、せいぜい３．８８個であり」を、「１平方センチメートル当たり、約０．４７〜３．８８個であり」としたものであり、隆起物の密度に関する構成を限定するものであって、特許請求の範囲の減縮を目的としたものである。
　上記訂正事項４は、「（ａ）着脱可能なすべり止めの取付けのための複数の裏取付手段を有する裏、および（ｂ）の」を「（Ａ）着脱可能なすべり止めの取付けのための複数の裏取付手段を有する裏、および（Ｂ）」と訂正するとともに、「１平方センチメートル当たり、せいぜい３．８８個であり」を、「１平方センチメートル当たり、約０．４７〜３．８８個であり」としたものであって、文章構成の整合を図るとともに、隆起物の密度に関する構成を限定するものであって、明瞭でない記載の釈明及び特許請求の範囲の減縮を目的とするものである。
　上記訂正事項６は、請求項を削除するとともに、これにともなって不明瞭
となった記載を訂正するものであり、特許請求の範囲の減縮、及び明瞭でない記載の釈明を目的とするものである。
　そして、上記訂正事項１ないし６は、いずれも新規事項の追加に該当せず、実質上特許請求の範囲を拡張し、又は変更するものではない。
（３）むすび
　以上のとおりであるから、上記訂正は、特許法第１２０条の４第２項及び同条第３項において準用する特許法第１２６条第２項から第４項までの規定に適合するので、当該訂正を認める。
３．特許異議の申立ての概要
（１）申立人中尾浩史は、下記の甲第１〜５号証を提示し、請求項５１、
５５、５７〜６１、６３、６５〜６７、７１、７３〜７７、７９、８１、８２に係る発明は、甲第１号証記載の発明と同一であり、請求項１〜８２に係る発明は、甲第１〜５号証に記載の発明から当業者が容易に発明をすることができたものであり、請求項１、１８、３４、５１及び６７に係る発明は、明確に記載されていないから、また、発明の詳細な説明中の記載では、当業者が容易に実施できる程度に記載されていないから、さらには、平成１１年１１月２６日付けの手続補正により、出願当初の明細書又は図面に記載のない新規事項が追加されたから、本件特許発明は、特許法第２９条第１項第３号、同第２９条第２項、同第３６条第４項、第６項、及び同第１７条の２第３項の規定に違反して特許されたものであり、取り消すべきである旨主張している。
甲第１号証：米国特許第３５８３０８２号明細書
甲第２号証：特公平６−１０４０８１号公報
甲第３号証：米国特許第４０１４１１４号明細書
甲第４号証：実願平５−４５８９９号（実開平７−１１９０７号）のＣＤ−　　　　　　　　ＲＯＭ
甲第５号証：岩田敬治、プラスチック材料講座［２］ポリウレタン樹脂　　　　　　　　、昭和４６年７月３０日日刊工業新聞社発行、ｐ１３３−　　　　　　　　１３７
（２）申立人マクネイル・エンジニアリング・カンパニー・インクは、
  請求項１〜８２に係る発明は、平成１１年１１月２６日付けの手続補正により、出願当初の明細書又は図面に記載のない新規事項が追加されたものであるから、請求項１〜８２に係る特許は、特許法第１７条の２第３項の規定に違反してなされたものであり、取り消すべきである旨主張している。
（３）申立人菊池公明は、下記の甲第１〜５号証を提示し、請求項５１〜８２に係る発明は、甲第１号証又は甲第２号証に記載された発明と同一であり、請求項５１〜８２に係る発明は、甲第１〜３号証に記載された発明に基づいて当業者が容易に発明をすることができたものであり、本件特許は、平成１１年１１月２６日付け手続補正により、新規事項を追加するものであり、さらに、発明の詳細な説明に記載のない事項が特許請求の範囲に記載されているから、請求項５１〜８２に係る発明は、特許法第２９条第１項第３号、同第２９条第２項に該当し、同第１７条の２第３項の規定に違反し、同第３６条第６項の規定に違反して特許されたものであるから、取り消すべきである旨主張している。
甲第１号証：米国特許第３５８３０８２号明細書  
甲第２号証：特公平６−１０４０８１号公報
甲第３号証：特開平５−１９９９０９号公報
甲第４号証：特開平９−１８７３０７号公報
甲第５号証：特許第３０３８１５７号公報　
４．特許異議の申立てについての判断
（１）本件発明
　上記「２．訂正の適否」に記載したように、平成１３年６月１５日付けの訂正請求は認められることから、本件の請求項１ないし７７に係る発明（以下、「本件発明１ないし７７」という。）は、訂正明細書の特許請求の範囲の請求項１ないし７７に記載された事項により特定されるとおりのものである。　
（２）特許法第１７条の２第３項違反について
（イ）本件出願の願書に添付した明細書については、平成１１年１１月２６日付けの手続補正により、特許請求の範囲の請求項１ないし８２において、「該隆起物は、０．０６２５インチと０．１２５インチ（１．５８７５ｍｍと３．１７５ｍｍ）との間の高さを有し、」との技術事項を追加することを含む補正がなされている。
（ロ）一方、本件の願書に最初に添付した明細書又は図面（以下、「当初明細書」という。）には、上記「該隆起物は、０．０６２５インチと０．１２５インチ（１．５８７５ｍｍと３．１７５ｍｍ）との間の高さを有し、」との記載はない。
　そして、隆起物の高さに関連する記載として、
１）特許請求の範囲においては、「前記分離距離が、前記高さの約２倍と約４倍との間である、」（【請求項２】、【請求項２５】、【請求項４３】、【請求項６１】、【請求項７７】）、「前記高さが、約０．０８インチ（約２．０ｍｍ）である」（【請求項３】、【請求項２６】、【請求項４４】、【請求項６２】、【請求項７８】）、
２）発明の詳細な説明においては、「好適には、前記分離距離が、前記高さの約２倍と約４倍との間である。」（段落番号【００１７】）、「好適には、前記高さが、約０．０８インチ（約２．０ｍｍ）である。」（段落番号【００１８】）、「小型のスパイクが、各小型スパイクの高さの約２倍から約４倍の距離を有するべきであるということがわかった。この高さは、地面を貫通しないで、牽引を達成するための草の葉との係合を可能にするように選択される。ある好適な実施態様において、各小型スパイクの高さは、約０.０８インチ（約２.０ｍｍ）であり、小型スパイクの間の間隔は、約０.２５インチ（約６.３５ｍｍ）である。」（段落番号【００４３】）、「小型スパイク１３の間隔は、好適には、小型スパイク１３が、その間隔が詰まらないように十分に離れているように選択される。好適には、小型スパイク１３の距離は、小型スパイク１３の高さの約２から約４倍である。より好適には、小型スパイク１３の高さの約３倍である。従って、約０.０８インチ（約２.０ｍｍ）の高さを有する小型スパイク１３では、小型スパイク１３の間の距離は、好適には、約０.２５インチ（約６.３５ｍｍ）ということになる。」（段落番号【００５９】）との記載が見られる。
　これらの記載からわかるとおり、隆起物の分離距離を、高さに関連付けて記載されたものは見られるが、高さそのものについては、好適な例として、約０.０８インチ（約２.０ｍｍ）であることが示されているだけである。
　この記載から、隆起物の高さが、０．０６２５インチと０．１２５インチ（１．５８７５ｍｍと３．１７５ｍｍ）との間にあると直接的且つ一義的に導き出すことはできず、「隆起物は、０．０６２５インチと０．１２５インチ（１．５８７５ｍｍと３．１７５ｍｍ）との間の高さを有し」との技術的事項は、当初明細書に記載された事項の範囲内にあったものということはできない。
  なお、特許権者は、平成１３年６月１５日付けの特許異議意見書において、段落番号【００１６】の記載、上記段落番号【００１７】の記載、「好適には、前記分離距離が、約０．２５インチ（約６．３５ｍｍ）である。」（段落番号【００１９】）の記載から、隆起物の高さが、０．２５インチの２
分の１と４分の１との間の高さである０．０６２５インチと０．１２５インチとの間であることが、直接的かつ一義的に導き出せる旨主張している。また、「スパイクの高さは、スパイクの間隔の好ましくは１／４〜１／２倍であるということは直接的かつ一義的に導かれる」旨主張している（特許異議意見書第３頁〜第４頁（３）「補正事項について」）。
　しかし、既にみたとおり、隆起物（スパイク）の間隔である分離距離について述べた記載は示されているが、隆起物の高さを分離距離を用いて述べたものは示されていない。してみると、隆起物の高さを、隆起物の間隔から逆算して規定することを導き出すことが直接的かつ一義的にできるとはいえない。
　よって、上記主張は、採用できない。
５．むすび
　以上のとおりであるから、他の要件について検討するまでもなく、本件発明についての特許は、特許法第１７条の２第３項の要件を満たしていないものであって、同法第１１３条第１項第１号に該当し、取り消されるべきものである。
  よって、結論のとおり決定する。
【異議決定日】
平成１３年８月６日（２００１．８．６）
【訂正の要旨】
　本件訂正請求の要旨は、特許第３０３８１５７号の明細書を、本件訂正請求書に添付した訂正明細書のとおりに訂正しようとするもので、その訂正の内容は、下記のとおりである。
訂正事項１
　特許請求の範囲の請求項１を、下記のとおりに訂正する。
「【請求項１】　芝生表面での牽引を提供するための運動靴であって、
該運動靴は、裏、踵、ならびに（ａ）該裏の有意の領域および（ｂ）該踵の有意の領域の少なくとも１つから伸びている複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている運動靴であって、
　該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、
　前記複数の隆起物が、パッド厚さを有する少なくとも１つのパッドの表面に装着され、該パッドおよび前記複数の隆起物が、弾性ポリマー材料から一体に作られており、
（ａ）前記裏の有意の領域および（ｂ）前記踵の有意の領域の前記少なくとも１つが凹所であり、
　前記少なくとも１つのパッドが、該少なくとも１つの凹所領域に剥離可能な留め具を用いて、装着されている、運動靴。」
訂正事項２
　特許請求の範囲の請求項１８を、下記のとおりに訂正する。
「【請求項１８】　芝生表面での牽引を提供するための運動靴であって、
該運動靴は、
その実質的な領域に第１の凹所を有する裏、
その実質的な領域に第２の凹所を有する踵、
第１のパッド表面および該第１のパッド表面から伸びている複数の隆起物を有する第１のパッド、および、
第２のパッド表面および該第２のパッド表面から伸びている複数の隆起物を有する第２のパッドを有し、
該第１のパッドが該第１の凹所に装着され、
該第２のパッドが該第２の凹所に装着され、
該隆起物のそれぞれは、該芝生の草の葉に係合するのに十分な高さを有し、実質的に、該芝生に穴をあけることなく牽引を提供し、かつ、
該隆起物は、該隆起物の間の間隔が該芝生の破片で詰まるのを防ぐのに十分な分離距離の間隔をあけて配置されている運動靴であって、
該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、
前記パッドおよび前記複数の隆起物が、弾性ポリマー材料から一体に作られており、
前記パッドが、該凹所領域に剥離可能な留め具を用いて、装着されている、運動靴。」
訂正事項３
　特許請求の範囲の請求項３４を、下記のとおりに訂正する。
「【請求項３４】　芝生表面での牽引を提供するための運動靴と共に使用される牽引挿入具であって、
　該運動靴は裏および踵を有し、その実質的な領域に凹所を有する該裏と該踵のうちの少なくとも１つにおいて、該牽引挿入具は、
パッド表面および該パッド表面から伸びている複数の隆起物を有するパッドと、
該パッドを該凹所に装着するためのパッド取付手段とを有し、
該隆起物のそれぞれは、該芝生の草の葉に係合するのに十分な高さを有し、実質的に、該芝生に穴をあけることなく牽引を提供し、
該隆起物は、該隆起物の間の間隔が該芝生の破片で詰まるのを防ぐのに十分な分離距離の間隔をあけて配置されている牽引挿入具であって、
該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、
パッドおよび前記複数の隆起物が、弾性ポリマー材料から一体に作られており、前記パッドが、該少なくとも１つの凹所領域に剥離可能なパッド取付手段を用いて、装着されている、牽引挿入具。」
訂正事項４
特許請求の範囲の請求項５１を、下記のとおりに訂正する。
「【請求項５１】　芝生表面での牽引を提供するための運動靴であって、該運動靴は、（Ａ）着脱可能なすべり止めの取付けのための複数の裏取付手段を有する裏、および（Ｂ）複数の着脱可能なすべり止めを有し、該着脱可能なすべり止めのそれぞれは、
　（ａ）上面および対向する下面を有するフランジ、
　（ｂ）該すべり止めを該靴の該裏の該裏取付手段の１つに着脱可能に取り付けるための、該フランジの該上面からから伸びているフランジ取付手段、および
　（ｃ）該フランジの該対向する下面に複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている運動靴であって、
　該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、
前記複数の隆起物が、弾性ポリマー材料から作られている、運動靴。」
訂正事項５
特許請求の範囲の請求項６７を、下記のとおりに訂正する。
「【請求項６７】　芝生表面での牽引を提供するための運動靴と共に使用する着可能なすべり止めであって、
該運動靴は、裏を有し、該裏は、着脱可能なすべり止めの取付けのための複数の裏取付手段を有し、該着脱可能なすべり止めは、
　（ａ）上面および対向する下面を有するフランジ、
　（ｂ）該すべり止めを該靴の該裏の該裏取付手段の１つに着脱可能に取り付けるための、該フランジの該上面から伸びているフランジ取付手段、および
　（ｃ）該フランジの該対向する下面に複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている、着脱可能なすべり止めであって、
該隆起物は、０．０６２５インチと０．１２５インチ（１．５８７５ｍｍと３．１７５ｍｍ）との間の高さを有し、該隆起物の密度は１平方センチメートル当たり、約０．４７〜３．８８個であり、
該複数の隆起物が、弾性ポリマー材料から一体に作られている、すべり止め。」
訂正事項６
特許請求の範囲の請求項１〜８２において、特許請求の範囲の請求項７、２４、
４０、５７および７３を、特許請求の範囲の請求項１、１８、３４、５１および
６７の訂正に伴って、削除する。この訂正に伴って、以下項数を繰り上げ「１〜７７」と訂正する。
（クレーム対応表参照）
特許時のクレーム　　　　訂正後のクレーム
クレーム８〜２３　　　クレーム７〜２２
クレーム２５〜３９　　クレーム２３〜３７
クレーム４１〜５６　　クレーム３８〜５３
クレーム５８〜７２　　クレーム５４〜６８
クレーム７４〜８２　　クレーム６９〜７７
（５４）【発明の名称】
芝生上での使用のための運動靴牽引システム
（５７）【特許請求の範囲】
　【請求項１】　芝生表面での牽引を提供するための運動靴であって、
　該運動靴は、裏、踵、ならびに（ａ）該裏の有意の領域および（ｂ）該踵の有意の領域の少なくとも１つから伸びている複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている運動靴であって、
　該隆起物は、０．０６２５インチと０．１２５インチ（１．５８７５ｍｍと３．１７５ｍｍ）との間の高さを有し、該隆起物の密度は１平方センチメートル当たり
、約０．４７〜
　前記複数の隆起物が、パッド厚さを有する少なくとも１つのパッドの表面に装着され、該パッドおよび前記複数の隆起物が、弾性ポリマー材料から一体に作られており、
（ａ）前記裏の有意の領域および（ｂ）前記踵の有意の領域の前記少なくとも１つが凹所であり、
　前記少なくとも１つのパッドが、該少なくとも１つの凹所領域に剥離可能な留め具を用いて、装着されている、運動靴。
　【請求項２】　前記分離距離が、前記高さの約２倍と約４倍との間である、請求項１に記載の運動靴。
　【請求項３】　前記高さが、約０．０８インチ（約２．０ｍｍ）である請求項２に記載の運動靴。
　【請求項４】　前記分離距離が、約０．２５インチ（約６．３５ｍｍ）である請求項３に記載の運動靴。
　【請求項５】　前記高さが、約０．０８インチ（約２．０ｍｍ）である請求項１に記載の運動靴。
　【請求項６】　前記分離距離が、約０．２５インチ（約６．３５ｍｍ）である請求項５に記載の運動靴。
　【請求項
７
　【請求項
８
７
　【請求項
９
　【請求項
１０
　【請求項
１１
　【請求項
１２
１
　【請求項
１３
　前記少なくとも１つのパッドが該少なくとも１つの凹所領域に装着されているとき、該各少なくとも１つのパッドの該パッド表面が、前記裏および前記踵の１つと、実質的に、同一平面上にあるように、該深さが選択される、請求項
１
　【請求項
１４
　該ホックとループ型留め具のループ部分が、該パッドおよび該凹所領域のうちのもう１つに装着され、かつ、
　該凹所領域の深さが、留められたときの該ホック部分および該ループ部分ならびに該パッドの厚さの合計の高さに実質的に等しく、これにより、該パッド表面が、前記裏と前記踵のうちの１つと実質的に同一平面上にある、請求項
１
　【請求項
１５
１
　【請求項
１６
１
　【請求項
１７
　該運動靴は、
　その実質的な領域に第１の凹所を有する裏、
　その実質的な領域に第２の凹所を有する踵、
　第１のパッド表面および該第１のパッド表面から伸びている複数の隆起物を有する第１のパッド、および、
　第２のパッド表面および該第２のパッド表面から伸びている複数の隆起物を有する第２のパッドを有し、
　該第１のパッドが該第１の凹所に装着され、
　該第２のパッドが該第２の凹所に装着され、
　該隆起物のそれぞれは、該芝生の草の葉に係合するのに十分な高さを有し、実質的に、該芝生に穴をあけることなく牽引を提供し、かつ、
　該隆起物は、該隆起物の間の間隔が該芝生の破片で詰まるのを防ぐのに十分な分離距離の間隔をあけて配置されている運動靴であって、
　該隆起物は、０．０６２５インチと０．１２５インチ（１．５８７５ｍｍと３．１７５ｍｍ）との間の高さを有し、該隆起物の密度は１平方センチメートル当たり、
約０．４７〜
　前記パッドおよび前記複数の隆起物が、弾性ポリマー材料から一体に作られており、
　前記パッドが、該凹所領域に剥離可能な留め具を用いて、装着されている、運動靴。
　【請求項
１８
１７
　【請求項
１９
１８
　【請求項
２０
１９
　【請求項
２１
１７
　【請求項
２２
２１
　【請求項
２３
１７
　【請求項
２４
２３
　【請求項
２５
１７
　【請求項
２６
１７
　【請求項
２７
２６
　【請求項
２８
１７
　【請求項
２９
　前記第１のパッドが、該第１の凹所に装着されるとき、該第１のパッドのパッド表面が、前記裏と実質的に同一平面上にあり、前記第２のパッドが、該第２の凹所に装着されるとき、該第２のパッドのパッド表面が、前記踵と実質的に同一平面上にある、請求項
１７
　【請求項
３０
　前記剥離可能な留め具が、ホックとループ型留め具であり、
　該ホックとループ型留め具のホック部分が、該パッドおよび該凹所のうちの１つに装着され、
　該ホックとループ型留め具のループ部分が、該パッドおよび該凹所のうちのもう１つに装着され、かつ
　該凹所の深さが、留められたときの該ホック部分および該ループ部分ならびに該パッドの厚さの合計の高さに実質的に等しく、これにより、該パッド表面が、前記裏と前記踵のうちのそれぞれ１つと実質的に同一平面上にある、請求項
１７
　【請求項
３１
１７
　【請求項
３２
　該運動靴は裏および踵を有し、その実質的な領域に凹所を有する該裏と該踵のうちの少なくとも１つにおいて、該牽引挿入具は、
　パッド表面および該パッド表面から伸びている複数の隆起物を有するパッドと、
　該パッドを該凹所に装着するためのパッド取付手段とを有し、
　該隆起物のそれぞれは、該芝生の草の葉に係合するのに十分な高さを有し、実質的に、該芝生に穴をあけることなく牽引を提供し、
　該隆起物は、該隆起物の間の間隔が該芝生の破片で詰まるのを防ぐのに十分な分離距離の間隔をあけて配置されている牽引挿入具であって、
　該隆起物は、０．０６２５インチと０．１２５インチ（１．５８７５ｍｍと３．１７５ｍｍ）との間の高さを有し、該隆起物の密度は１平方センチメートル当たり、
約０．４７〜
　パッドおよび前記複数の隆起物が、弾性ポリマー材料から一体に作られており、
　前記パッドが、該少なくとも１つの凹所領域に剥離可能なパッド取付手段を用いて、装着されている、牽引挿入具。
　【請求項
３３
３２
　【請求項
３４
３３
　【請求項
３５
３４
　【請求項
３６
３２
　【請求項
３７
３６
　【請求項
３８
３２
　【請求項
３９
３８
　【請求項
４０
３２
　【請求項
４１
３２
　【請求項
４２
４１
　【請求項
４３
３２
　【請求項
４４
　該凹所が前記裏にあって、前記挿入具が該凹所に装着されているとき、前記パッド表面が、実質的に、該裏と同一平面上にあり、該凹所が前記踵にあって、該挿入具が該凹所に装着されているとき、該パッド表面が、実質的に、該踵と同一平面上にある、請求項
３２
　【請求項
４５
３２
　【請求項
４６
　該ホックとループ型留め具のホック部分が、前記挿入具および前記凹所のうちの１つに装着され、
　該ホックとループ型留め具のループ部分が、該挿入具および該凹所のうちのもう１つに装着され、かつ、
　該凹所の深さが、留められたときの該ホック部分および該ループ部分ならびに該パッドの厚さの合計の高さに実質的に等しく、これにより、該パッド表面が、前記裏と前記踵のそれぞれと実質的に同一平面上にある、請求項
４５
　【請求項
４７
３２
　【請求項
４８
（Ａ）
（Ｂ）
　（ａ）上面および対向する下面を有するフランジ、
　（ｂ）該すべり止めを該靴の該裏の該裏取付手段の１つに着脱可能に取り付けるための、該フランジの該上面からから伸びているフランジ取付手段、および
　（ｃ）該フランジの該対向する下面に複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている運動靴であって、
　該隆起物は、０．０６２５インチと０．１２５インチ（１．５８７５ｍｍと３．１７５ｍｍ）との間の高さを有し、該隆起物の密度は１平方センチメートル当たり、
約０．４７〜
　前記複数の隆起物が、弾性ポリマー材料から作られている、運動靴。
　【請求項
４９
４８
　【請求項
５０
４９
　【請求項
５１
５０
　【請求項
５２
４８
　【請求項
５３
５２
　【請求項
５４
４８
　【請求項
５５
５４
　【請求項
５６
４８
　【請求項
５７
４８
　【請求項
５８
５７
　【請求項
５９
４８
　【請求項
６０
５９
　【請求項
６１
　前記フランジ取付手段が、ネジシャフトを有する、請求項
４８
　【請求項
６２
　該フランジ厚さが、せいぜい前記高さの半分である、請求項
４８
　【請求項
６３
　該運動靴は、裏を有し、該裏は、着脱可能なすべり止めの取付けのための複数の裏取付手段を有し、該着脱可能なすべり止めは、
　（ａ）上面および対向する下面を有するフランジ、
　（ｂ）該すべり止めを該靴の該裏の該裏取付手段の１つに着脱可能に取り付けるための、該フランジの該上面から伸びているフランジ取付手段、および
　（ｃ）該フランジの該対向する下面に複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置されている、着脱可能なすべり止めであって、
　該隆起物は、０．０６２５インチと０．１２５インチ（１．５８７５ｍｍと３．１７５ｍｍ）との間の高さを有し、該隆起物の密度は１平方センチメートル当たり、
約０．４７〜
　該複数の隆起物が、弾性ポリマー材料から一体に作られている、すべり止め。
　【請求項
６４
６３
　【請求項
６５
６４
　【請求項
６６
６５
　【請求項
６７
６３
　【請求項
６８
６７
　【請求項
６９
６３
　【請求項
７０
６９
　【請求項
７１
６３
　【請求項
７２
６３
　【請求項
７３
７２
　【請求項
７４
６３
　【請求項
７５
７４
　【請求項
７６
　前記フランジ取付手段が、ネジシャフトを有する、請求項
６３
　【請求項
７７
　該フランジ厚さが、せいぜい前記高さの半分である、請求項
６３
【発明の詳細な説明】
　【０００１】
　【発明の属する技術分野】
　本発明は、芝生上での使用のための運動靴に関し、特に、芝生に悪影響を与えずに、着用者の牽引を向上させる牽引システムに関する。
　【０００２】
　【従来の技術】
　芝生の上での改良された牽引の必要性は周知である。多くの異なるスポーツ、例えば、野球、フットボール、サッカーおよびゴルフなどのための専用靴は、牽引を向上させるための靴裏を備えた構造を有する。以下の本明細書を通して、ゴルフを代表的な例として挙げると、ゴルフ靴に、牽引のための比較的大きな金属のスパイクを備えることが以前から公知であった。
　【０００３】
　それらが使用されているのとほぼ同じくらい以前から、ゴルフのスパイク（および他の芝生上でのスポーツのための運動靴に備わった類似の構造もまた、ゴルフコース（または他の運動場所の表面）の芝生、特に、グリーンに悪影響を与えることが知られている。大きなスパイクが、グリーンの表面、特に、ゴルファーが、多くのゴルファーがするように、足を引きずると、グリーンの表面を引き裂き「スパイクの跡」を残し、慎重に刈り込まれた表面を傷つけ、落下したゴルフボールの軌跡に悪影響を与える。ゴルフでのスパイクの跡は、周知であるので、ゲームのルールは、それらの存在を考慮して適用されてきた（落下する前にスパイクの跡を修復することがルールによって禁じられている）。プレーヤーのボールの落下に影響することに加えて、スパイクの跡は、また、地面整備者にも影響を与える。地面整備者は、多数のスパイク着用ゴルファーによる１日のプレイの後、何時間もかけてゴルフコースの様々なグリーンを修復しなければならない。
　【０００４】
　スパイクの跡が、プレーヤーおよび地面整備者に不快さを与えるだけでなく、伝統的なゴルフ靴のスパイクは、グリーンだけではなく、ゴルフコース中の芝生の状態にも影響する。第１に、スパイクは、かなりの距離まで地面を貫通し、「根頭」として知られている、根の上の草の部分に損傷を与えることがよくある。
　【０００５】
　根頭への損傷は、しばしば、植物を死滅させる。第２に、スパイクは、雑草および草（例えば、Ｐｏａ　ａｎｎｕａ）を含む望ましくない植物の種を運び、それらの種をグリーンに植え付け、望ましくない植物を成長させる。
　【０００６】
　伝統的な金属のゴルフスパイクは、また、ゴルフのクラブハウスの床表面にも損傷を与えたり、実際、あるクラブハウスの、大理石などの床表面を滑り易くし得る。伝統的な金属のゴルフスパイクは、舗装された戸外の歩道に損傷を与えさえする。
　【０００７】
　伝統的なゴルフスパイクによる問題の１つの公知の解決法が、本願の出願人に譲渡されている、米国特許第５，２５９，１２９号、第５，３６７，７９３号に記載されている。これらの米国特許は、全体において、ここで参考のために援用されている。これらの特許は、伝統的なスパイクのために設計されたのと同様のゴルフ靴の取付具に取り付けられているゴルフ用のすべり止めを示している。このすべり止めば、好適には、複数の方向において、複数のグリップ力、主に摩擦力を生成ための、ゴルファーの体重を分散する複数のリブを有する、好適には、凸状下面を有するプラスチック材料からなり、芝生に穴をあけることなく、それによって、上記の悪影響を軽減する。
　【０００８】
　【発明が解決しようとする課題】
　しかし、上記の特許のすべり止めば、芝生に損傷を与えることなく牽引を提供するという問題を完全には解決しない。第１に、このすべり止めは、芝生の草の表面、特に、グリーンに窪みを依然として残し、もとに戻すのにかなりの時間を要し得る。第２に、このすべり止めは、伝統的なゴルフスパイクよって提供されるに近い牽引を、すべての表面に提供し得ない。特に、それは、急な坂と同様に湿った芝生表面においてそうである。第３に、それらが製造された材料、およびそれらが靴の裏から隆起しているという事実のために、このすべり止めば、障害物にあうと靴から外れ得る。
　【０００９】
　さらに、上記の特許のすべり止めば、伝統的な金属のゴルフスパイクより、クラブハウスの床および歩道に損傷を与えにくいが、このような損傷を完全には排除せず、かつ、床の表面で依然として滑る得る。
　【００１０】
　芝生に悪影響を与えないが、できるだけ多くの異なる条件下での望ましいレベルの牽引を提供する、ゴルフ靴（および他の芝生でのスポーツ用の靴）における牽引を提供するためのシステムを提供できることが望ましい。
　【００１１】
　それが使用される靴から外れることに抵抗する牽引システムを提供できることが望ましい。
　【００１２】
　さらに、舗道および床に損傷を与えにくい牽引システムを提供できることが望ましい。
　【００１３】
　本発明の目的は、芝生に悪影響を与えないが、できるだけ多くの異なる条件下で望ましいレベルの牽引を提供する、ゴルフ靴（および他の芝生でのスポーツ用の靴）における牽引を提供するためのシステムを提供することである。
　【００１４】
　また、本発明の目的は、それが使用される靴から外れることに抵抗する牽引システムを提供することである。
　【００１５】
　さらに、本発明の目的は、舗道および床に損傷を与えにくい牽引システムを提供することである。
　【００１６】
　【課題を解決するための手段】
　本発明による芝生表面での牽引を提供するための運動靴は、裏、踵、ならびに（ａ）該裏の有意の領域および（ｂ）該踵の有意の領域の少なくとも１つから伸びている複数の隆起物を有する。該隆起物のそれぞれは、該芝生の草の葉に係合するのに十分な高さを有し、実質的に、該芝生に穴をあけることなく牽引を提供する。該隆起物は、該隆起物の間の間隔が該芝生の破片で詰まるのを防ぐのに十分な分離距離の間隔をあけて配置され、これにより、上記目的が達成される。
　【００１７】
　好適には、前記分離距離が、前記高さの約２倍と約４倍との間である。
　【００１８】
　好適には、前記高さが、約０．０８インチ（約２．０ｍｍ）である。
　【００１９】
　好適には、前記分離距離が、約０．２５インチ（約６．３５ｍｍ）である。
　【００２０】
　好適には、１平方インチ当たり約３と約２５との間の数の前記隆起物（１平方センチメートル当たり約０．４７と約３．８８との間の数の該隆起物）を有する。
　【００２１】
　好適には、１平方インチ当たり約７と約２５との間の数の前記隆起物（１平方センチメートル当たり約１．０９と約３．８８との間の数の該隆起物）を有する。
　【００２２】
　好適には、１平方インチ当たり約１７個の前記隆起物（１平方センチメートル当たり約２．６４個の該隆起物）を有する。
　【００２３】
　好適には、前記隆起物のそれぞれが、該隆起物が隆起している前記裏および前記踵のうちの１つにおいて、前記高さに実質的に等しい幅を有する。
　【００２４】
　好適には、前記隆起物のそれぞれが、幅を有し、該幅が、該隆起物が隆起している前記裏および前記踵のうちの１つから距離が離れるにつれて減少する。
　【００２５】
　好適には、前記隆起物のそれぞれが、切頭円錐の形状を有している。
　【００２６】
　好適には、前記複数の隆起物が、弾性ポリマー材料から作られている。
　【００２７】
　好適には、前記弾性ポリマー材料が、弾性ポリウレタンである。
　【００２８】
　好適には、前記複数の隆起物が、パッド厚さを有する少なくとも１つのパッドの表面に装着され、該少なくとも１つのパッドが前記裏および前記踵の１つの装着されている。
　【００２９】
　好適には、（ａ）前記裏の有意の領域および（ｂ）前記踵の有意の領域の前記少なくとも１つが凹所であり、前記少なくとも１つのパッドが、該少なくとも１つの凹所領域に装着されている。
　【００３０】
　好適には、前記少なくとも１つの凹所領域が、深さを有し、かつ、前記少なくとも１つのパッドが該少なくとも１つの凹所領域に装着されているとき、該各少なくとも１つのパッドの該パッド表面が、前記裏および前記踵の１つと、実質的に、同一平面上にあるように、該深さが選択される。
　【００３１】
　好適には、前記少なくとも１つのパッドが、剥離可能な留め具を用いて、前記少なくとも１つの凹所領域に装着される。
　【００３２】
　好適には、前記剥離可能な留め具が、ホックとループ型留め具であり、該ホックとループ型留め具のホック部分が、前記パッドおよび前記凹所領域のうちの１つに装着され、該ホックとループ型留め具のループ部分が、該パッドおよび該凹所領域のうちのもう１つに装着され、かつ、該凹所領域の深さが、留められたときの該ホック部分および該ループ部分ならびに該パッドの厚さの合計の高さに実質的に等しく、これにより、該パッド表面が、前記裏と前記踵のうちの１つと実一質的に同一平面上にある。
　【００３３】
　好適には、前記剥離可能な留め具が、粘着剤である。
　【００３４】
　好適には、前記パッドが、剥離可能な留め具を用いて、前記裏および前記踵のうちの１つに装着される。
　【００３５】
　好適には、前記剥離可能な留め具が、ホックとループ型留め具である。
　【００３６】
　本発明の別の局面による、芝生表面での牽引を提供するための運動靴は、その実質的な領域に第１の凹所を有する裏、その実質的な領域に第２の凹所を有する踵、第１のパッド表面および該第１のパッド表面から伸びている複数の隆起物を有する第１のパッド、および、第２のパッド表面および該第２のパッド表面から伸びている複数の隆起物を有する第２のパッドを有する。該第１のパッドが該第１の凹所に装着され、該第２のパッドが該第２の凹所に装着され、該隆起物のそれぞれは、該芝生の草の葉に係合するのに十分な高さを有し、実質的に、該芝生に穴をあけることなく牽引を提供し、かつ、該隆起物は、該隆起物の間の間隔が該芝生の破片で詰まるのを防ぐのに十分な分離距離の間隔をあけて配置されることによって、上記目的が達成される。
　【００３７】
　本発明の別の局面による、芝生表面での牽引を提供するための運動靴と共に使用される牽引挿入具において、該運動靴は裏および踵を有し、その実質的な領域に凹所を有する該裏と該踵のうちの少なくとも１つにおいて、該牽引挿入具は、パッド表面および該パッド表面から伸びている複数の隆起物を有するパッドと、該パッドを該凹所に装着するためのパッド取付手段とを有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置され、これにより、上記目的が達成される。
　【００３８】
　本発明の別の局面による芝生表面での牽引を提供するための運動靴は、（ａ）着脱可能なすべり止めの取付けのための複数の裏取付手段を有する裏、および（ｂ）の複数の着脱可能なすべり止めを有し、該着脱可能なすべり止めのそれぞれは、（ａ）上面および対向する下面を有するフランジ、（ｂ）該すべり止めを該靴の該裏の該裏取付手段の１つに着脱可能に取り付けるための、該フランジの該上面からから伸びているフランジ取付手段、および、（ｃ）該フランジの該対向する下面に複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置され、これにより、上記目的が達成される。
　【００３９】
　本発明の別の局面による、芝生表面での牽引を提供するための運動靴と共に使用する着脱可能なすべり止めにおいて、該運動靴は、裏を有し、該裏は、着脱可能なすべり止めの取付けのための複数の裏取付手段を有し、該着脱可能なすべり止めは、（ａ）上面および対向する下面を有するフランジ、（ｂ）該すべり止めを該靴の該裏の該裏取付手段の１つに着脱可能に取り付けるための、該フランジの該上面からから伸びているフランジ取付手段、および、（ｃ）該フランジの該対向する下面に複数の隆起物を有し、該隆起物のそれぞれは、該芝生の草の葉に係合するのに十分な高さを有し、実質的に、該芝生に穴をあけることなく牽引を提供し、該隆起物は、該隆起物の間の間隔が該芝生の破片で詰まるのを防ぐのに十分な分離距離の間隔をあけて配置され、これにより、上記目的が達成される。
　【００４０】
　「実質的に芝生に穴をあけることなく」とは、隆起物が芝生の草の葉に伸び、それと係合するが、地面を貫通しない、または、たとえ、芝生の表面（短く刈り込んだグリーンなど）のある種類の地面を貫通するとしても、大きな損傷を芝生に与えない、無視できる程度に地面を貫通することを意味する。
　【００４１】
　本発明の、上記および他の目的および利点は、図面を参照して、以下の詳細な説明を考慮すると明らかである。
　【００４２】
　【発明の実施の形態】
　本発明によれば、芝生表面での運動競技活動のための牽引は、比較的多くの数の比較的小さな隆起物を有する領域を有する運動靴を提供することによって、提供される。ある実施態様において、例えば、裏および踵の大部分は、比較的多くの数の比較的小さな隆起物を有する。このように、ゴルフ靴の１０個または１２個の比較的多くの数の金属のゴルフスパイクの代わりに、多くの数（例えば、約３５から約２００、好適には、約１００から約２００）の比較的小さな隆起物があり、これは、小型スパイクと呼ばれ得る。本発明の小型スパイクは、芝生表面の草の葉との物理的な相互係合によって牽引を提供するが、しかし、それらは低いので地面を貫通しないか、または、たとえ、貫通するとしても、無視できる程度貫通する。従って、上記の本願の出願人に譲渡された特許に記載のすべり止めより良好な牽引を提供するが、伝統的な大きな金属のスパイクに付随する損傷を起こすことはない。
　【００４３】
　本発明の小型スパイクは、運動靴の裏表面に比較的密集している。しかし、それらが、密集しすぎていると、それらの間の空間が、泥および草の小片で詰まり得、提供された牽引を減少させる。従って、小型スパイクは、目詰まりを回避するために十分な間隔を有していなければならない。さらに、もし、小型スパイクが密集しすぎていると、単一の塊として作用し得、草の葉を機械的に係合することなく、芝生の草の表面に窪みを作り、従って、牽引を提供することがない。小型のスパイクが、各小型スパイクの高さの約２倍から約４倍の距離の間隔を有するべきであるということがわかった。この高さは、地面を貫通しないで、牽引を達成するための草の葉との係合を可能にするように選択される。ある好適な実施態様において、各小型スパイクの高さは、約０．０８インチ（約２．０ｍｍ）であり、小型スパイクの間の間隔は、約０．２５インチ（約６．３５ｍｍ）である。小型スパイク間の分離を数値化する別の方法は、密度による。約０．０８インチ（約２．０ｍｍ）の高さの小型スパイクでは、好適には、１平方インチ当たり約３と約２５との間の数の小型スパイク（１平方センチメートル当たり約０．４７と約３．８８との間の数の小型スパイク）が存在し、より好適には、１平方インチ当たり約７と約２５との間の数の小型スパイク（１平方センチメートル当たり約１．０９と約３．８８との間の小型スパイク）が存在する。ゴルフコースでの使用のための特に好適な実施態様において、小型スパイクは、１平方インチ当たり約１７個（１平方センチメートル当たり約２．６４個）である。いずれの場合においても、小型スパイクは、目詰まりを防止するのに十分に離れているべきである。
　【００４４】
　ゴルフコースの使用のための好適な実施態様において、各小型スパイクは、好適には、約０．０８インチ（約２．０ｍｍ）の高さを有する。小型スパイクが曲がらないように、柱を十分堅くするために、各小型スパイクの基部の幅は、好適には、およそ小型スパイクの高さと同じである。
　【００４５】
　各小型スパイクの幅は、好適には、高さの方向に変化し、最も好適には、基部から先端部へと連続的に減少する。小型のスパイクの、特に好適な形状は、約０．０８インチ（約２．０ｍｍ）の基部および高さ、ならびに直径が約０．０５インチ（約１．２７ｍｍ）の平らな円形の先端部を有する切頭円錐である。小型スパイクは、好適には、尖端を有すべきではない。なぜなら、尖った小型スパイクは、尖っていない先端部を有するものより消耗が速い。このために、草の葉を引き裂くのを回避するためだけでなく、着用者が、偶然、小型のスパイクの先端部で、着用者の皮膚または他人の皮膚をかすった時の怪我を回避するために、小型のスパイクが金属から製造されていないことも、絶対ではないが、特に好適である。好適な材料は、弾性ポリマー材料である。特に好適な弾性ポリマー材料は、ポリウレタンである。しかし、かなりの回数の着用に耐えることができるほど十分な磨滅抵抗を有していれば、どんな弾性ポリマー材料も用いられ得る。
　【００４６】
　小型スパイクの好適な構造は、靴の裏および踵に大きな領域を小型スパイクで覆うことである。小型のスパイクは、好適には、裏または踵に直接に成形されない。なぜなら、それらは、好適には、それらが設計された目的の運動イベントの少なくとも数回（例えば、ゴルフの数ラウンド）に使用されるのに十分な磨滅抵抗を有するべきであるが、それらは、また芝生に損傷を与える程硬くあってはならないからである。従って、それらは、最終的には、磨耗し、交換が必要となる。従って、小型スパイクは、必要に応じて、着用者によって取り外され交換されるように取り付けられるべきである。
　【００４７】
　このような１つの好適なシステムにおいて、靴の裏のほとんどを覆う第１のマットまたはパッド（アーチの部分に小型スパイクを設けることは害ではないし、本発明の原理に反しないが、小型スパイクが、通常、地面に接することがなく、従って、いかなる利点も提供しないアーチの部分を除いて）、および靴の踵のほとんどを覆う第２のマットまたはパッドに、小型のスパイクが設けられる。パッドは、好適には、着脱可能な留め具、特に好適には、ホックとループ型留め具（よくＶＥＬＣＲＯ（登録商標）と呼ばれている）であり、ホック部分が、好適には、靴に取り付けられ、ループ部分が好適には、取外し可能で交換可能なパッドに取り付けられている。小型のスパイクが磨耗すると、着用者は、単に、ホックとループ型留め具を分離し、パッドを取り外し、新しいパッドを取り付ける。
　【００４８】
　地面の障害物により、パッドの先端部が外れるのを防ぐため、好適には、凹所が、裏および踵に設けられ、好適には、パッドが、凹所に受け入れられる。各凹所の深さは、好適には、マットまたはパッド自体（小型のスパイクを除く）の厚さ、および、ホックとループ型留め具の両方の層の厚さの合計におよそ等しい。これにより、スパイクが隆起しているマットまたはパッドの表面は、裏または踵と同一面上にある。このように、パッドの先端部が障害物に引っかかる可能性はわずかである。このような凹所の設置もまた、パッドの厚さによる芝生の草表面の窪みを実質的になくす。
　【００４９】
　ホックとループ型の留め具の代わりに、強力な感圧性の粘着剤によって、パッドが裏または踵に取り付けられ得る。パッドの交換が必要であるとき、粘着剤が加熱され（例えば、髪用のハンドドライヤーを用いて）、柔軟にすることによって磨耗したパッドが取り外される。新しい粘着剤付きの新しいパッドが、好適には、該粘着剤を覆っているリリースペーパーを有するものが与えられる。着用者は、リリースペーパーを剥がし、粘着剤を露出し、パッドを靴に取り付ける。この粘着剤による取付けは、凹所が裏または踵に設けられていない場合に、特に好適である。なぜなら、ホックとループ型留め具の２層とパッドは、靴から隆起している実質的な厚さになるからである。しかし、粘着剤は、また、たとえ凹所が存在しても用いられ得る。実際、このような粘着剤は、ホックとループ型留め具材料が用いられた場合、それ自体を靴に取り付ける好適な方法である。
　【００５０】
　あるいは、ネジ（靴のタップされた穴の設置が必要になり得る）または差し込みピン型もしくはスナップ型留め具などの着脱可能な留め具（靴に適切な係合構造を有する）などの機械的な取付けによって、パッドが裏または踵に取り付けられ得る。
　【００５１】
　小型のスパイクを運動靴に取り付ける別の好適なシステムは、伝統的なゴルフスパイクまたは上記の本願の出願人に譲渡されている特許に記載のすべり止めと同じ方法で、靴に取り付けられたすべり止めに、小型スパイクを設けることである。本発明の本実施態様によるこのようなすべり止めは、１つの表面から伸びている小型スパイク、および反対の表面から伸びているネジのシャフトを有する円盤状のフランジを有し得、公知のスパイクまたはすべり止めを受け入れるためのネジのソケットを有する、既存の運動靴（特にゴルフ靴）に、特に有用である。すべり止めは、好適には、上記と同様の弾性材料から成形され、金属シャフトが、成形されたフランジに取り付けられ得るが、好適には、ネジシャフトは、残りのすべり止めに沿って成形される。フランジの弾力性により、障害物によって外れないように、すべり止めの抵抗が増加する。すなわち、すべり止めは、外れないで、通常、変形し、それから障害物が通りすぎるとその形状を回復する。
　【００５２】
　すべり止めのフランジは、好適には、できるだけ薄く、芝生の草表面の窪みを最小限に抑える。好適には、フランジは、厚くてもせいぜい小型スパイクの高さの約半分の厚さである。最も好適な実施態様において、小型のスパイクの高さは、約０．０８インチ（約２．０ｍｍ）、フランジの厚さは、好適には、約０．０４インチ（約１．０ｍｍ）である。すべり止めが、挿入される凹所を有する運動靴に用いられるときは、フランジの厚さはあまり問題ではない。フランジは、好適には、裏に面している側で凹面であり、すべり止めが裏に対して密着するにつれて平らになり、より良好な密閉を提供し、またすべり止めが緩くならないような張力効果を提供する。
　【００５３】
　以下に、図面を参照して本発明を説明する。
　【００５４】
　図１〜図５は、本発明の第１の好適な実施態様を示し、本発明による小型のスパイク１３を備えているそれぞれのパッド１１、１２が、運動靴１０の裏１６および踵１７にそれぞれの凹所１４、１５内に取り付けられている。図２および図４に示すように、各パッド１１、１２は、好適には、一方の側に小型のスパイク１３の列、および他方の側に取り付けられているホックとループ型留め具材料のループ部分４０の層を有する。各凹所１４、１５は、好適には、ホックとループ型留め具材料の補完ホック部分４１の層と並んでいる。ホック部分４１は、好適には、強力な熱および感圧性粘着剤２０の層によって、凹所１４、１５の内面に取り付けられている。ループ部分４０は、好適には、同様の粘着層（図示せず）によって、パッド１１、１２に取り付けられている。
　【００５５】
　ホックとループ型留め具部分を反対にして、凹所１４、１５にループ部分、およびパッド１１、１２の裏にホック部分とし得るが、その部分を図示するように配置するのが好ましい。もし、ループ部分が、「永久」部分、すなわち、凹所１４、１５に取り付けられ、パッドが磨耗すると交換される部分であるなら、最終的にはループが磨耗し、パッドのホック部分は、しっかりした取付けのためのループ部分との十分な係合を達成することができない。ホック部分のほうが耐久性があり、留める力を保持し易いので、「永久」部分として好適である。しかし、どちらの留め具部分４０、４１を「永久」部分として、凹所１４、１５内に取り付けたとしても、もし磨耗すると、好適には、粘着層２０を加熱し（例えば、髪用のハンドドライヤーを用いて）、粘着剤が十分に柔軟になり、留め具部分４０、４１が取り外され得る。新しい留め具部分４０、４１は、好適には、リリースペーパー（図示せず）によって覆われている、内蔵された粘着剤２０によって設けられる。使用者は、リリースペーパーを剥がし、新しい留め具４０、４１を凹所１４、１５の内部に張り付ける。
　【００５６】
　上記のように、凹所１４、１５の深さは、好適には、パッド１１、１２の厚さと２つのホックとループ型留め具部分４０、４１の合計に実質的に等しいので、小型スパイク１３が隆起しているパッド１１、１２の表面が、図３に示すように、それぞれ、裏１６または踵１７の表面と実質的に同一平面上にある。従って、本実施態様において、パッド１１、１２の厚さは重要ではない。
　【００５７】
　小型スパイク１３で覆われている裏１６および踵１７の領域は、図１および図２に示す完全な領域より小さい。覆われていない１つの部分はアーチ３０の領域であり、通常、地面に接することがない。しかし、まれではあるが、何らかの牽引を提供するとすると、小型のスパイク１３が、所望であれば、アーチ３０に設けられ得る。覆われていない可能性のある裏および踵領域の別の部分は、境界部１８であり、これは、通常、凹所１４、１５を規定する。凹所１４、１５を設ける必要はない。その場合、パッド１１、１２は、裏１６および踵１７の先端部まで伸びる。しかし、もし、凹所１４、１５が設けられないと、パッド１１、１２が、使用中に損傷を受けたり、外れたりし易い。従って、このような凹所１４、１５が設けられることが好ましい。
　【００５８】
　上記のように、パッド１１、１２と同様に小型スパイク１３は、好適には、ゴルフの少なくとも数回のラウンドに使用されるのに十分な磨耗抵抗を有する弾性ポリマー材料、特に好適には、ポリウレタンから成形される。小型スパイク１３は、地面を貫通することなく、または、ゴルフグリーンの短く刈り込んだ表面などのあまり密度の高くないタイプの芝生では、最小の地面の貫通ですむ、芝生の草の葉と機械的に係合するのに十分な長さである。上記のように、小型のスパイク１３の好適な高さ４２は、約０．０８インチ（約２．０ｍｍ）である。また、上記のように、各小型スパイク１３の幅は、好適には、高さに沿って変化し、好適には、パッド１１、１２から離れるに従って、連続的に減少する。小型スパイク１３が曲がって、効果がなくなるのを防止するため、各小型スパイク１３の基部の幅４３は、好適には、高さ４２とおよそ同じであるので、幅４３もまた、好適には、約０．０８インチ（約２．０ｍｍ）である。最も好適には、各小型スパイク１３は、約０．０８インチ（約２．０ｍｍ）の基部および高さ、ならびに、約０．０５インチ（約１．２７ｍｍ）の直径４４を有する実質的に平らな先端部を有する切頭円錐である。
　【００５９】
　小型スパイク１３の間隔は、好適には、小型スパイク１３が、その間隔が詰まらないように十分に離れているように選択される。好適には、小型スパイク１３の距離は、小型スパイク１３の高さの約２から約４倍である。より好適には、小型スパイク１３の高さの約３倍である。従って、約０．０８インチ（約２．０ｍｍ）の高さを有する小型スパイク１３では、小型スパイク１３の間の距離は、好適には、約０．２５インチ（約６．３５ｍｍ）ということになる。
　【００６０】
　図６に示す第２の好適な実施態様において、パッド１１および１２は、凹所が設けられていない裏１６および踵１７のそれぞれの表面に取り付けられる。好適には、パッド１１、１２は上記の粘着剤２０などの感熱、感圧性粘着剤（図示せず）によって取り付けられているので、パッド１１、１２が磨耗すると、上記のように、粘着剤を加熱することによって取り外され得る。新しいパッド１１、１２は、好適には、上記のように、リリース層によって覆われている粘着剤によって設けられる。リリース層が取り外され、新しいパッド１１、１２が張り付けられる。本実施態様において、図示するように、境界部１８が維持されている。しかし、本実施態様において、裏１６または踵１７の先端部にまでパッドの先端部が伸びると、パッド１１、１２は、より外れ易くなる可能性があるにしても、パッド１１、１２が、裏１６または踵１７の先端部にまで伸び得ない理由はない。本実施態様において、パッド１１、１２の厚さが、第１の好適な実施態様１０より、より重要性を有する。なぜなら、本実施態様において、これが、芝生の草表面に窪みを作ることに寄与するからである。従って、本実施態様６０において、パッド１１、１２が、せいぜい小型スパイク１３の高さの約半分の厚さを有することが好ましい。その他は、パッド１１、１２は、第１の好適な実施態様おけるパッド１１、１２と同一である。従って、本実施態様６０の最も好適な形態において、パッド１１、１２は、約０．０４インチ（約１ｍｍ）の厚さを有する。
　【００６１】
　本発明の第１の実施態様１０または第２の実施態様６０のいずれかにおいて、パッド１１、１２は、あるいは、ネジ（図示せず）によって、それぞれ、裏１６または踵１７に取り付けられ得る。自己タッピングネジが用いられ得、より好適には、公知の運動靴において、すべり止めまたはスパイクを受け入れるように設けられている、タップされた穴が、裏１６または踵１７に設けられ得る。同様に、適切なソケットまたはスロットが、裏１６または踵１７に設けられ、差し込みピン型留め具（図示せず）またはスナップ型留め具（図示せず）などの着脱可能な留め具を用いて、パッド１１、１２を裏１６または踵１７に取り付けることも本発明の範囲内である。
　【００６２】
　本発明の第３の好適な実施態様が、図７〜図１２に示されている。本実施態様において、靴７０は、複数のすべり止め７１を有している。各すべり止めは、複数の小型スパイク１３を有する。本実施態様は、伝統的なゴルフスパイクのために設計されている靴７０に特に適している。このような靴は、典型的に、伝統的なゴルフスパイクのネジシャフトを受け入れるための、複数のネジ溝ソケット９０を有している。各すべり止め７１は、同様のネジシャフト９１を有し、複数の小型のスパイク１３を備えているフランジ９２に取り付けられている。
　【００６３】
　第１と第２の好適な実施態様と同様に、すべり止め７１は、好適には、弾性ポリマー材料、最も好適には、ポリウレタンから製造されている。フランジ９２の弾性により、障害物にあった時、変形が可能であり、靴からすべり止めが外れるためのレバーアームとして機能しない。すべり止め７１は、変形すると靴の中にとどまる傾向があり、障害物が取り除かれると、もとの形状を取り戻す。
　【００６４】
　小型スパイク１３のサイズおよび形状は、好適には、上記の第１および第２の好適な実施態様と同様である。同様に、窪みを最小限にするために、フランジ９２の厚さは、好適には、第２の好適な実施態様におけるパッド１１、１２の厚さと同じである。公知のゴルフ靴の中には、すべり止め７１に対して個々の凹所（図示せず）を有するものがあり、このような靴においては、フランジ９２の厚さはあまり重要でない。図１０に示すように、フランジ９２は、裏１６または踵１７に面している側においてわずかに凹面である。これにより、フランジ９２と裏１６または踵１７との間のより良好な密閉が提供され、破片の侵入を防ぎ、また、すべり止め７１が緩くなりソケット９１から外れる可能性を軽減するための張力が提供される。
　【００６５】
　第３の好適な実施態様における小型スパイク１３の間の間隔もまた、第１および第２の好適な実施態様におけるのと同様である。すなわち、小型スパイク１３は、目詰まりを防ぐのに十分に離れているべきである。好適には、小型スパイク１３の間隔は、小型スパイク１３の高さの約２倍から約４倍、より好適には、小型スパイク１３の高さの約３倍であるのがよい。従って、約０．０８インチ（約２．０ｍｍ）の高さの小型スパイク１３では、小型スパイク１３の間の間隔は、約０．２５インチ（約６．３５ｍｍ）であるのが好ましい。
　【００６６】
　すべり止め７１の小型スパイク１３の第１の好適な配置が、図１１に示されている。全部で１７個の小型スパイク１３が、好適には、約０．６６７平方インチ（約４３０ｍｍ２）の円形の領域に分散している。上記の所望の分離を達成するために、小型スパイク１３の間の距離を最大にするように分散する。図示された分散において、フランジ９２の先端部の回りに８個の小型スパイク１３の外側の輪、第１の輪から内側に間隔をおいて８個の小型スパイクの内側の輪、および１個の中央の小型スパイク１３がある。
　【００６７】
　すべり止め７１における小型スパイク１３の第２の好適な配置が、図１２に示されている。全部で１４個の小型スパイク１３が、好適には、約０．６６７平方インチ（約４３０ｍｍ２）の円形の領域に分散している。上記の所望の分離を達成するために、小型スパイク１３の間の距離を最大にするように分散する。図示された分散において、フランジ９２の先端部の回りに８個の小型スパイク１３の外側の輪、および第１の輪から内側に間隔をおいて６個の小型スパイクの内側の輪がある。
　【００６８】
　このように、芝生に悪影響を与えないが、できるだけ多くの異なる条件下で所望のレベルの牽引を提供し、それが用いられる靴から外れることに対して抵抗があり、かつ従来の公知のシステムより舗道および床に損傷をあたえることが少ない、ゴルフ靴（および他の芝生でのスポーツ）における牽引を提供するためのシステムが提供されることがわかる。
　【００６９】
　【発明の効果】
　上記したように、本発明によると、芝生に悪影響を与えないが、できるだけ多くの異なる条件下での望ましいレベルの牽引を提供する、ゴルフ靴（および他の芝生でのスポーツ用の靴）における牽引を提供するためのシステムを提供することができる。
【図面の簡単な説明】
　【図１】
　本発明の第１の好適な実施態様を組み入れた運動靴の下側の、裏および踵を示す平面図。
　【図２】
　図１の運動靴の、部分分解状態の裏面側斜視図。
　【図３】
　本発明の第１の好適な実施態様を組み入れた運動靴の側面図。
　【図４】
　本発明の第１の好適な実施態様によるパッドまたはマットの、本発明による隆起物の詳細を示す要部拡大縦断面図。
　【図５】
　本発明の第１の好適な実施態様によるパッドまたはマットの、本発明による隆起物の詳細を示す要部拡大平面図。
　【図６】
　本発明の第２の好適な実施態様を組み入れた運動靴の、図３と類似の側面図。
　【図７】
　本発明の第３の実施態様を組み入れた運動靴の裏の平面図。
　【図８】
　図７の運動靴の、図７の８−８線からの側面図。
　【図９】
　図７および図８の運動靴の分解斜視図。
　【図１０】
　本発明によるすべり止めの好適な実施態様の斜視図。
　【図１１】
　図１０のすべり止めの、図１０の１１−１１線からの平面図。
　【図１２】
　本発明によるすべり止めの別の実施態様の、図１１と類似の平面図。
　【符号の説明】
　１０　　　　　運動靴
　１１、１２　　パッド
　１３　　　　　小型スパイク
　１４、１５　　凹所
　１６　　　　　裏
　１７　　　　　踵